(57)【要約】  【課題】簡単に設置でき、確実に作動させることのできるくくり罠を提供する。  【解決手段】ロープ３１で形成されたくくり輪３１１により獣の体の一部を締め付けて拘束するくくり罠１０は、ベース部材１２と、ベース部材１２に一端が固定され、他端にロープ３１が通される案内リング５３１が連結されたコイルバネ５１と、くくり輪３１１の中に設置され、獣によって踏まれたことを電気的に検知する踏み板２０と、踏み板２０と電気的に接続されてベース部材１２に設置され、コイルバネ５１の他端を引っ掛けておくと共に、踏み板２０が獣によって踏まれたことを検知すると、コイルバネ５１の他端を解放するトリガー装置４０と、を備え、解放されたコイルバネ５１の弾性力により急激に移動する案内リング５３１によってロープ３１が引っ張られて、くくり輪３１１が締め付けられる。【選択図】図１
0003187769.tif 000002
【実用新案登録請求の範囲】
【請求項１】
ロープで形成されたくくり輪により獣の体の一部を締め付けて拘束するくくり罠において、
所定の場所に設置されるベース部材と、
前記ベース部材に一端が固定され、他端に前記ロープが通される案内リングが連結されたコイルバネと、
前記くくり輪の中に設置され、獣によって踏まれたことを電気的に検知する踏み板と、
前記踏み板と電気的に接続されて前記ベース部材に設置され、弾性力に抗して引き伸ばした状態で前記コイルバネの他端を引っ掛けておくと共に、前記踏み板が獣によって踏まれたことを検知すると、前記コイルバネの他端を解放するトリガー装置と、を備え、
解放された前記コイルバネの弾性力により急激に移動する前記案内リングによって前記ロープが引っ張られて、前記くくり輪が締め付けられることを特徴とするくくり罠。
【請求項２】
前記トリガー装置は、ソレノイドを備え、前記踏み板が踏まれたことを検知すると、前記ソレノイドを作動させて前記コイルバネの他端を解放することを特徴とする請求項１記載のくくり罠。
【請求項３】
前記踏み板は、二枚の金属平板を備え、前記二枚の金属平板の接触を電気的に検出することで、獣に踏まれたことを検知することを特徴とする請求項１又は２記載のくくり罠。
【考案の詳細な説明】
【技術分野】
【０００１】
本考案は、くくり輪で獣の体の一部を締め付けて拘束するくくり罠に関する。
【背景技術】
【０００２】
従来から、獣が踏み板を踏んだ動きに連動してくくり輪を締め付け、獣の脚等を拘束するくくり罠が提供されており、例えば、下記特許文献１，２に開示されている。これらのくくり罠は、トーションバネを閉じた状態で係止しておき、獣に踏まれた踏み板の動きに連動して、トーションバネの係止を解除して解放することで、くくり輪を構成するロープを引っ張り、くくり輪を締め付けるように構成されている。
【０００３】
ところが、従来のくくり罠は、トーションバネの係止を解除するために、踏み板のストロークとしてある程度の長さが必要となり、くくり罠の設置にあたって、穴を掘り、その上に踏み板を設置しておく必要があった。
【０００４】
こうすれば、踏み板が獣に踏まれて穴の中に落下することで、ある程度の長さのストロークを確保でき、踏み板が踏まれた際にトーションバネを確実に解放することができる。しかし、山の中の獣道に穴を掘る作業は重労働で時間もかかるため、特に、高齢者にとっては大きな負担になっていた。
【０００５】
そこで、本考案者は、地面に穴を掘らなくても、踏み板の短いストロークで作動可能なくくり罠を提供している（下記特許文献３参照）。
【先行技術文献】
【特許文献】
【０００６】
【特許文献１】特開平９−１４９７５４号公報
【特許文献２】実用新案登録第３１５０２４６号公報
【特許文献３】実用新案登録第３１７５８４９号公報
【考案の概要】
【考案が解決しようとする課題】
【０００７】
しかし、特許文献３記載のくくり罠においても、雨が降るなどして踏み板の下に土が運ばれてきたりすると、踏み板が踏まれても罠が作動しない場合も多い。また、踏み板の設置の仕方が下手だと、罠が上手く作動しない場合があり、罠の設置者にある程度の技量が求められる。
【０００８】
本考案は、上記課題を解決するためになされたものであり、簡単に設置でき、確実に作動させることのできるくくり罠を提供することを目的とする。
【課題を解決するための手段】
【０００９】
上記課題を解決するために、本考案に係るくくり罠は、ロープで形成されたくくり輪により獣の体の一部を締め付けて拘束するくくり罠において、所定の場所に設置されるベース部材と、前記ベース部材に一端が固定され、他端に前記ロープが通される案内リングが連結されたコイルバネと、前記くくり輪の中に設置され、獣によって踏まれたことを電気的に検知する踏み板と、前記踏み板と電気的に接続されて前記ベース部材に設置され、弾性力に抗して引き伸ばした状態で前記コイルバネの他端を引っ掛けておくと共に、前記踏み板が獣によって踏まれたことを検知すると、前記コイルバネの他端を解放するトリガー装置と、を備え、解放された前記コイルバネの弾性力により急激に移動する前記案内リングによって前記ロープが引っ張られて、前記くくり輪が締め付けられることを特徴とする。
【考案の効果】
【００１０】
本考案に係るくくり罠によれば、簡単に設置でき、踏み板が獣に踏まれたときに、確実に作動させることができる。
【図面の簡単な説明】
【００１１】
【図１】図１は、本考案の実施形態に係るくくり罠の斜視図である。
【図２】図２は、本考案の実施形態に係るくくり罠の要部拡大正面図である。
【図３】図３は、本考案の実施形態に係るトリガー装置の作用を説明するための側方から見た一部断面模式図である。
【考案を実施するための形態】
【００１２】
以下、図面を参照しながら、本考案の実施形態について詳細に説明する。図１は、本実施形態に係るくくり罠の斜視図である。図２は、本実施形態に係るくくり罠の要部拡大正面図であり、トリガー装置の付近を拡大して示している。図３は、本実施形態に係るトリガー装置の作用を説明するための側方から見た一部断面模式図である。なお、本実施形態では、猪を捕まえるためのくくり罠として説明する。
【００１３】
図１及び図２に示すように、本実施形態に係るくくり罠１０は、ベース部材１２と、踏み板２０と、獣の体の一部を締め付けて拘束するためのロープ部３０と、くくり罠１０を作動させるためのトリガー装置４０と、弾性部５０とを備えている。
【００１４】
ベース部材１２は、くくり罠１０を構成する各部材を固定しておく本体である。ベース部材１２は、所定の長さの棒状部材であり、二辺の長さが等しい略Ｌ形断面の山形鋼から構成される。ベース部材１２は、その一部を設置場所にある木等の固定物に固定されて、地面に対して略垂直に設置される。もちろん、設置状況に応じて、ベース部材１２の設置態様は適宜変更すれば良い。
【００１５】
ベース部材１２は、コイルバネ固定部１３と、ソレノイド設置部１５と、電池設置部１６とを備えると共に、両側面の所定の場所には、後述するスライド係止棒４７の両端をスライド可能に支持するためのスライド支持長孔１８が形成されている。
【００１６】
コイルバネ固定部１３は、後述するコイルバネ５１の一端（上端）を固定する部分であり、ソレノイド設置部１５は、後述するソレノイド４１を固定設置する部分であり、電池設置部１６は、後述する電池４２を固定設置する部分である。
【００１７】
踏み板２０は、くくり輪３１１の中に設置される円板状の部材であり、獣の体の一部がくくり輪３１１の中に入ったことを検知してトリガー装置４０に伝達する。踏み板２０は、ステンレス製の上側円板２１及び下側円板２２と、連結ピン２５と、スペーサ２６と、電源コード２７とを備えている。
【００１８】
連結ピン２５は、上側円板２１と下側円板２２とを重ねて支持するためのピンであり、三箇所で上側円板２１と下側円板２２とを連結している。連結ピン２５は、上側円板２１と下側円板２２とが所定の距離（例えば、1cm）以上離れないようにストッパーとしても機能する。
【００１９】
スペーサ２６は、上側円板２１と下側円板２２とが接触して通電しないように、両者を所定の距離に保つための部材であり、3つのスペーサ２６が、3つの連結ピン２５の近傍にそれぞれ設置されている。本実施形態では、スペーサ２６としてフェルト布を使用している。
【００２０】
これにより、通常の状態では、踏み板２０を構成する上側円板２１と下側円板２２とは、平行状態で所定の間隔を保っている。獣が踏み板２０の上側円板２１を踏むと、上側円板２１が傾いたり撓んだりして、上側円板２１の一部が下側円板２２に接触する。
【００２１】
電源コード２７は、二本の電線のうち、一本が上側円板２１に接続され、もう一本が下側円板２２に接続されている。よって、踏み板２０が獣によって踏まれて、上側円板２１と下側円板２２とが接触すると、電源コード２７の二本の電線が直列につながって通電状態となる。なお、電源コード２７は、後述するトリガー装置４０の電源コード４３に接続されており、電源コード２７の二本の電線が通電状態となると、電池４２からソレノイド４１へと電力が供給されるようになる。
【００２２】
このように、平行に設置された二つの円板２１，２２の接触を電気的に検出する構成であれば、踏み板２０の非常に小さなストロークで、踏み板２０が獣により踏まれたことを検知することができる。なお、二つの円板２１，２２の間に土等の異物が挟まったり、円板２１，２２が濡れたりすることで両者が通電することを防止するため、設置の際には、踏み板２０を異物混入対策用の絶縁シート（透明なビニール袋等）で覆っている。
【００２３】
ロープ部３０は、鋼の素線を撚り合わせて作られたワイヤロープ３１と、ストッパー３２と、締め付け金具３３と、ロープ固定紐３９とを備えている。ワイヤロープ３１の先端側には、ワイヤロープ３１の先端に固定された締め付け金具３３により、くくり輪３１１が形成されている。
【００２４】
くくり罠１０が作動すると、このくくり輪３１１が小さくなるようにワイヤロープ３１の根元側が引っ張られるので、くくり輪３１１の中に位置する猪の足がワイヤロープ３１によって締め付けられる。
【００２５】
ワイヤロープ３１のくくり輪３１１よりも根元側の部分には、スイベル（よりもどし）３１３が設置されている。スイベル３１３は、二つのリングがワイヤロープ３１の延在方向を軸として互いに回動自在に連結された連結具であり、くくり輪３１１に拘束された猪が暴れたときに、ワイヤロープ３１の捻れを解消し、絡んだりするのを防止することができる。
【００２６】
ストッパー３２は、ワイヤロープ３１の先端から所定の長さの位置に固定されている。くくり輪３１１が小さくなる際にストッパー３２が締め付け金具３３の穴に引っ掛かることで、くくり輪３１１の絞りを一定の大きさに制限する安全装置として機能する。
【００２７】
ワイヤロープ３１の根元側端部は、くくり罠１０が設置されている場所に生えている木の幹や、地面に打ち込まれた杭に固定されている。これにより、くくり罠１０に捕らえられた猪がくくり罠１０ごと引きずって逃げるのを阻止することができる。また、ワイヤロープのスイベルの部分がベース部材１２の下端にロープ固定紐３９で結び付けられている。これにより、ワイヤ案内リング５３１によってくくり輪３１１を容易に締め込むことができるようになる。
【００２８】
トリガー装置４０は、踏み板２０が踏まれたことを検知すると、後述する弾性部５０のコイルバネ５１を解放し、くくり罠１０を作動させる。トリガー装置４０は、ソレノイド（ソレノイドアクチュエータ）４１と、ソレノイド４１に駆動電力を供給する電池４２と、電源コード４３と、コイルバネ５１を引っ掛けて止めておく揺動部材４５と、スライド係止棒４７とを備えている。
【００２９】
図１に示すように、ソレノイド４１は、ベース部材１２の下部にあるソレノイド設置部１５に固定設置されており、出力軸４１１と、戻しバネ４１２と、連結具４１３とを備えている。ソレノイド４１は、出力軸４１１がベース部材の延在方向である垂直方向において直線的に往復運動する。
【００３０】
ソレノイド４１に電力が供給されていない状態では、出力軸４１１に電磁力は作用しておらず、出力軸４１１は、戻しバネ４１２の弾性力により上方に飛び出した状態となっている。一方、ソレノイド４１に電力が供給されると、戻しバネ４１２の弾性力に抗して、電磁力により出力軸４１１が下方に引っ込むように移動する。出力軸４１１の先端には、連結具４１３によりスライド係止棒４７が連結固定されている。
【００３１】
電池４２は、ソレノイド４１の下方にあるベース部材１２の電池設置部１６に固定設置されており、電源コード４３を介して、ソレノイド４１に電力を供給する。電源コード４３は、一方の電線が途中で上記電源コード２７と接続されており、踏み板２０が踏まれて電源コード２７が通電したときのみ、電源コード４３に電流が流れ、ソレノイド４１に電力が供給されるように構成されている。
【００３２】
揺動部材４５は、ソレノイド４１の上側でベース部材１２に設置されている。揺動部材４５は、揺動ピン４５１と、揺動軸４５５とを備えており、揺動軸４５５は水平にベース部材１２に固定されている。揺動ピン４５１は、コイルバネ５１の下端を引き伸ばした状態で引っ掛けておくためのコイルバネ引掛部４５２と、回動方向においてスライド係止棒４７に係止される被係止部４５３と、を備えており、揺動軸４５５に対して、軸周りに回動自在に連結されている。
【００３３】
揺動ピン４５１は、コイルバネ５１の下端を引っ掛けておくバネ引掛位置と、コイルバネ５１の下端が解放されるバネ解放位置との間で回動自在であり、バネ引掛位置にある場合には、コイルバネ５１の上方に引っ張る弾性力により、バネ解放位置側へ回転させられる力を受けている。
【００３４】
ここで、スライド係止棒４７は、水平な状態で両端がスライド支持長孔１８に挿入されており、水平状態のままベース部材１２の延在方向（垂直方向）にスライド自在に設置されている。スライド係止棒４７が上方の揺動係止位置に位置するときは、揺動ピン４５１の被係止部４５３に当接して、揺動ピン４５１の回動を制限している。
【００３５】
一方、スライド係止棒４７が下方の揺動解放位置に位置するときは、揺動ピン４５１が回動しても接触することなく、揺動ピン４５１は自由に回動できる。よって、スライド係止棒４７が上方の揺動係止位置にあるときは、バネ引掛位置にある揺動ピン４５１はバネ解放位置側へ回転するのを阻止され、スライド係止棒４７が下方の揺動解放位置にあるときは、揺動ピン４５１はバネ引掛位置からバネ解放位置側へ自由に回転することができる。
【００３６】
弾性部５０は、くくり輪３１１を締め付ける動力を供給し、強力な弾性力を有するコイルバネ５１と、ワイヤ案内部材５３とを備えている。コイルバネ５１は、ベース部材１２に沿って垂直方向に直線上で変形するよう設置され、コイルバネ５１の上端は、ベース部材１２のコイルバネ固定部１３に固定されている。
【００３７】
くくり罠１０をセットした状態では、図１に示すように、コイルバネ５１の下端は、揺動部材４５の揺動ピン４５１のコイルバネ引掛部４５２に引っ掛けられており、コイルバネ５１には、コイルバネ５１が垂直方向において縮む方向に強力な弾性力が作用した状態となっている。
【００３８】
ワイヤ案内部材５３は、ワイヤロープ３１を通すためのワイヤ案内リング５３１と、コイルバネ５１の下端にワイヤ案内リング５３１を連結するための連結紐５３２とを備えている。くくり罠１０の設置の際には、ワイヤロープ３１は、くくり輪３１１よりも根元側の部分がワイヤ案内リング５３１に通されて設置される。なお、ワイヤ案内リング５３１は、容易に開閉可能なリング構造を採用しており、ワイヤロープ３１を通す際には、リング部分を開いて簡単に通すことができると共に獣がくくり罠１０にかかった場合には、その力によってリング部分が簡単に開いてワイヤロープ３１から外れる。
【００３９】
くくり罠１０が作動し、解放されたコイルバネ５１の下端が急激に上昇したとき、コイルバネ５１の下端に接続固定されたリング連結紐５３２によってワイヤ案内リング５３１も急激に上昇し、ワイヤロープ３１のくくり輪３１１よりも根元側の部分が上方に引っ張り上げられることになる。このとき、くくり輪３１１の中に獣の体の一部が入っていると、くくり輪３１１は上方に移動することができず、締め付けられることになる。
【００４０】
以上、くくり罠１０の構成について説明したが、続いて、くくり罠１０の使用方法について説明する。くくり罠１０は、猪が通っていると思われる獣道に設置する。本実施形態では、くくり罠１０を作動させるために必要な踏み板２０のストロークが短いため、地面に穴を掘らずにくくり罠１０を設置することができる。
【００４１】
図１に示す状態で、くくり罠１０を設置するが、設置の際には、猪が暴れた際には外れるような結束線により、ワイヤロープ３１のスイベル３１３近傍の部分をベース部材１２の根元部分に固定しておく。これにより、くくり罠１０が作動した際のくくり輪３１１の締め付けをより確実に行うことができる。
【００４２】
設置後、くくり罠１０の設置場所を猪が通りがかり、脚で踏み板２０を踏むと、上側円板２１の一部が下方に撓むなどして下側円板２２と接触する。これにより、電源コード２７が通電して電源コード４３に電流が流れ、電池４２からソレノイド４１へと電力が供給される。
【００４３】
ソレノイド４１に電力が供給されると、出力軸４１１が下方に引っ込むように移動し、出力軸４１１に固定されたスライド係止棒４７が下方にスライドする。すなわち、スライド係止棒４７が、揺動ピン４５１の揺動を制限する揺動係止位置から、揺動ピン４５１を解放する揺動解放位置に移動する。
【００４４】
解放された揺動ピン４５１は、コイルバネ５１の弾性力により、バネ解放位置側へ回転し、コイルバネ５１の下端を解放する。解放されたコイルバネ５１の下端は、強力な弾性力により、急激に上昇し、ワイヤ案内リング５３１もつられて上昇する。
【００４５】
これにより、くくり輪３１１の内側に位置する猪の脚がくくり輪３１１により締め付けられる。一度締め付けられたくくり輪３１１は、締め付け金具３３により容易に拡がることはなく、猪が暴れるほど、脚に食い込んで締め付ける。また、ワイヤロープ３１の根元側端部は、木や杭に固定されているため、ワイヤロープ３１によって拘束された猪は逃げることができない。
【００４６】
以上、詳細に説明した本実施形態によれば、獣により踏み板２０が踏まれたことを、二枚の金属製の円板２１，２２の電気的な接触により検知しており、踏み板２０のストロークが短くてもくくり罠１０を確実に作動させることができ、地面に穴を掘らなくてもくくり罠１０を手軽に設置することができる。
【００４７】
また、踏み板２０が踏まれたことを電気的接触により検知することで、くくり罠１０の設置状態に左右されることなく、踏み板２０が踏まれたことを確実に検知することができ、設置者に高度な技量を要求することなく、誰が設置したとしてもくくり罠１０を確実に作動させることができる。
【００４８】
以上、本考案の実施形態について詳細に説明したが、本考案は上記実施形態に限定されるものではなく、本考案の主旨を逸脱しない範囲内で種々の変形が可能である。例えば、上記くくり罠は、猪以外の熊や鹿等にも適用できるのは言うまでもない。
【００４９】
また、くくり罠を構成する各部材の形状やサイズは適宜変更可能であり、例えば、踏み板を構成する円板は、円形状の平板ではなく方形状の平板であっても良い。また、踏み板２０は、獣により踏まれたことを、重量センサー等のセンサーによって検知するようにしても良い。
【符号の説明】
【００５０】
１０      くくり罠
１２      ベース部材
１８      スライド支持長孔
２０      踏み板
２１      上側円板
２２      下側円板
２５      連結ピン
２６      スペーサ
２７      電源コード
３０      ロープ部
３１      ワイヤロープ
３１１    くくり輪
３１３    スイベル
３２      ストッパー
３３      締め付け金具
３９      ロープ固定紐
４０      トリガー装置
４１      ソレノイド
４１１    出力軸
４１２    戻しバネ
４１３    連結具
４２      電池
４３      電源コード
４５      揺動部材
４５１    揺動ピン
４５２    コイルバネ引掛部
４５３    被係止部
４５５    揺動軸
４７      スライド係止棒
５０      弾性部
５１      コイルバネ
５３      ワイヤ案内部材
５３１    ワイヤ案内リング
５３２    リング連結紐
【図１】
0003187769.tif 000003
【図２】
0003187769.tif 000004
【図３】
0003187769.tif 000005